(57)【要約】【課題】バルブボディにソレノイド部を固定する作業が容易な電磁弁を提供する。【解決手段】電磁弁１は、コイル２９の励磁により軸部１１を移動させるソレノイド部１０と、ソレノイド部１０のフロント側に位置し、軸部１１とともに移動可能なスプール５２を有するバルブボディ５０と、ソレノイド部１０及びバルブボディ５０間に位置し、ソレノイド部１０をバルブボディ５０に固定する固定板部７０とを有する。ソレノイド部１０は、軸部１１とコア１７とボビン２５とコイル２９とこれらを収容するハウジング３０とを有する。ハウジング３０は、フロント側端部から突出する加締め部３２を有する。固定板部７０は、中央孔部７３と、中央孔部７３の径方向外側に位置して固定板部７０をバルブボディ５０に固定する固定部７９とを有する。ハウジング３０は、加締め部３２が取付孔部７５ａを貫通して径方向に折れ曲がっている事により、固定板部７０に固定される。【選択図】  図１
2019056472.tif 000002
【特許請求の範囲】
【請求項１】
コイルの励磁により軸部を移動させるソレノイド部と、
前記ソレノイド部の軸方向一方側に位置し、前記軸部の移動とともに移動可能なスプールを有するバルブボディと、
前記ソレノイド部と前記バルブボディとの間に位置し、前記ソレノイド部を前記バルブボディに固定する固定板部と、
を有し、
前記ソレノイド部は、
前記軸部と、
前記軸部の径方向外側に位置するコアと、
前記コアの径方向外側に配置されたボビンと、
前記ボビンに巻かれた前記コイルと、
前記軸部、前記コア、前記ボビン及び前記コイルを収容し、軸方向他方側に底部を有する有底筒状のハウジングと、
を有し、
前記ハウジングは、軸方向一方側端部から軸方向一方側へ突出する加締め部を有し、
前記固定板部は、
軸方向に貫通する中央孔部と、
前記中央孔部の径方向外側に位置し、前記加締め部が挿入される取付孔部と、
前記取付孔部の径方向外側に位置し、固定部材を介して前記固定板部を前記バルブボディに固定する固定部と、
を有し、
前記ハウジングは、前記加締め部が前記取付孔部を貫通し、且つ径方向に折れ曲がっている事により、前記固定板部に固定される
電磁弁。
【請求項２】
前記軸部は、
前記軸部の径方向外側に位置し、前記コアに対して軸方向に移動するプランジャと、
前記プランジャの中心軸部分に装着されたシャフト部と、
を有する
請求項１に記載の電磁弁。
【請求項３】
前記取付孔部から突出する前記加締め部は、前記軸部側へ倒されて前記ハウジングが前記固定板部に固定される
請求項１又は２に記載の電磁弁。
【請求項４】
前記加締め部及び前記取付孔部の夫々は、３個以上設けられて周方向に均等に配置される
請求項１から３のいずれか１項に記載の電磁弁。
【請求項５】
周方向に隣接する前記加締め部間における前記ハウジングの軸方向一方側の周端部は、前記加締め部が前記取付孔部を貫通する事により、前記周端部の端面が前記固定板部の軸方向他方側の面に接触する
請求項４に記載の電磁弁。
【請求項６】
前記バルブボディは、前記固定板部の前記固定部が固定される取付部を有し、
前記バルブボディは、前記取付部に前記固定部が固定された状態で、前記固定板部側が開口して軸方向一方側へ窪み、前記固定板部に加締められた前記加締め部を収容する収容部を有する
請求項１から５のいずれか１項に記載の電磁弁。
【請求項７】
前記固定板部は、軸方向に対して直交する方向に延び、
前記固定板部は、
１つの前記ソレノイド部に対して前記固定板部に設けられる前記中央孔部及び前記取付孔部からなる孔部群を複数有し、
複数の前記孔部群は、前記固定板部の延びる方向に沿って間隔を有して前記固定板部に設けられ、
前記固定板部は、複数の前記孔部群の夫々に前記ソレノイド部が固定されて、複数のソレノイド部を有する
請求項１から６のいずれかに記載の電磁弁。
【請求項８】
前記孔部群の前記取付孔部は、前記固定板部に設けられた前記中央孔部の径方向外側に周方向に間隔を有して複数設けられ、
前記固定板部に隣接して設けられた一方の前記孔部群の複数の取付孔部のうち前記固定板部の延びる方向に対して交差する方向に配置された一対の取付孔部間の領域内に、他方の前記孔部群の複数の取付孔部のうちの一つの前記取付孔部が位置する
請求項７に記載の電磁弁。
【発明の詳細な説明】
【技術分野】
【０００１】
本発明は、電磁弁に関する。
【背景技術】
【０００２】
従来、自動車等の車両の自動変速機に繋がる油圧回路の油圧制御を電磁弁によって行うものが知られている。例えば、特許文献１には、コイルの励磁によりシャフトを移動させるソレノイド部と、ソレノイド部の軸方向一方側に位置し、シャフトの移動とともに移動可能なスプールを有するバルブボディと、を有する電磁弁が開示される。
【０００３】
特許文献１に記載のソレノイド部は、軸方向に延びる中心軸を中心とするシャフトと、シャフトの径方向外側に位置するコア（固定コア）と、シャフトに固定されてシャフトの径方向外側に位置し、コアに対して軸方向に移動するプランジャ（可動コア）と、コア（固定コア）の径方向外側の側面を覆うボビンと、ボビンに巻かれたコイルと、シャフト、コア（固定コア）、プランジャ（可動コア）、ボビン及びコイルを収容し、軸方向他方側に底部を有する有底筒状のハウジングと、を有する。
【０００４】
ソレノイド部は、ハウジングの軸方向一方側端部（加締め部）をバルブボディの軸方向他方側端部に加締めることにより、バルブボディに固定される。
【先行技術文献】
【特許文献】
【０００５】
【特許文献１】特開２０１１−１１２０７６号公報
【発明の概要】
【発明が解決しようとする課題】
【０００６】
特許文献１に記載のソレノイド部は、ボビンと一体成型されるカプラ部を有する。カプラ部は、ハウジングの軸方向一方側のハウジングの径方向外側に位置してバルブボディ側へ延びるとともに、ハウジングの加締め部の径方向外側の隣接した位置に配置される。このため、加締め冶具によりハウジングの加締め部をバルブボディに加締める際に、カプラ部を有するために、加締め冶具を加締め部に接触させにくく成り、加締め作業の作業性が低下する。
【０００７】
本発明の目的は、バルブボディにソレノイド部を固定する固定作業が容易な電磁弁を提供することである。
【課題を解決するための手段】
【０００８】
本願の例示的な第１発明は、コイルの励磁により軸部を移動させるソレノイド部と、前記ソレノイド部の軸方向一方側に位置し、前記軸部の移動とともに移動可能なスプールを有するバルブボディと、前記ソレノイド部と前記バルブボディとの間に位置し、前記ソレノイド部を前記バルブボディに固定する固定板部と、を有し、前記ソレノイド部は、前記軸部と、前記軸部の径方向外側に位置するコアと、前記コアの径方向外側に配置されたボビンと、前記ボビンに巻かれた前記コイルと、前記軸部、前記コア、前記ボビン及び前記コイルを収容し、軸方向他方側に底部を有する有底筒状のハウジングと、を有し、前記ハウジングは、軸方向一方側端部から軸方向一方側へ突出する加締め部を有し、前記固定板部は、軸方向に貫通する中央孔部と、前記中央孔部の径方向外側に位置し、前記加締め部が挿入される取付孔部と、前記取付孔部の径方向外側に位置し、固定部材を介して前記固定板部を前記バルブボディに固定する固定部と、を有し、前記ハウジングは、前記加締め部が前記取付孔部を貫通し、且つ径方向に折れ曲がっている事により、前記固定板部に固定される電磁弁である。
【発明の効果】
【０００９】
本願の例示的な第１発明によれば、バルブボディにソレノイド部を固定する固定作業が容易な電磁弁を提供することができる。
【図面の簡単な説明】
【００１０】
【図１】第１実施形態に係る電磁弁の断面図である。
【図２】第１実施形態に係るソレノイド部のハウジングの斜視図である。
【図３】図５のＶ−Ｖ矢視に相当するソレノイド部の断面図である。
【図４】同図ａは、ソレノイド部を固定する固定板部の斜視図であり、同図ｂは、取付孔部の拡大図である。
【図５】第１実施形態の変形例に係る電磁弁をポンプボデイ側から見た斜視図である。
【図６】第１実施形態の変形例に係る電磁弁をソレノイド部側から見た斜視図である。
【発明を実施するための形態】
【００１１】
以下、図面を参照しながら、本発明の実施形態に係る電磁弁について説明する。本実施形態では、自動車等の車両に搭載される自動変速機の制御を行う電磁弁について説明する。また、以下の図面においては、各構成をわかり易くするために、実際の構造と各構造における縮尺及び数等を異ならせる場合がある。
【００１２】
また、図面においては、適宜３次元直交座標系としてＸＹＺ座標系を示す。ＸＹＺ座標系において、Ｚ軸方向は、図１に示す中心軸Ｊの軸方向他方向と平行な方向とする。Ｘ軸方向は、図１に示す電磁弁の短手方向と平行な方向、すなわち、図１の上下方向とする。Ｙ軸方向は、Ｘ軸方向とＺ軸方向との両方と直交する方向とする。
【００１３】
また、以下の説明においては、Ｚ軸方向の正の側（＋Ｚ側）を「リア側」と記し、Ｚ軸方向の負の側（−Ｚ側）を「フロント側」と記す。なお、リア側及びフロント側とは、単に説明のために用いられる名称であって、実際の位置関係や方向を限定しない。また、特に断りのない限り、中心軸Ｊに平行な方向（Ｚ軸方向）を単に「軸方向」と記し、中心軸Ｊを中心とする径方向を単に「径方向」と記し、中心軸Ｊを中心とする周方向、すなわち、中心軸Ｊの軸周り（θ方向）を単に「周方向」と記す。
【００１４】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１５】
[第１実施形態]
＜全体構成＞
図１は、第１実施形態に係る電磁弁の断面図である。本実施形態の電磁弁は、図１に示すように、ソレノイド部１０と、バルブボディ５０と、固定板部７０と、を有する。ソレノイド部１０とバルブボディ５０は、軸方向に沿って配置される。ソレノイド部１０は、コイル２９の励磁により軸部１１を移動させる。バルブボディ５０は、ソレノイド部１０の軸方向一方側（フロント側）に位置し、軸部１１の移動とともに移動可能なスプール５２を有する。なお、バルブボディ５０のＸ軸方向マイナス側（下側）には、図示しない下側バルブボディが接続される。下側バルブボディは、例えば、複数のシフト弁、アキュムレータ、入出力ポートを有する。下側バルブボディは、図示しない油圧ポンプから供給される圧油を調圧してバルブボディに送る。バルブボディは調圧された圧油をスプール５２を介して自動変速機に送油する。
【００１６】
固定板部７０は、ソレノイド部１０とバルブボディ５０との間に位置し、ソレノイド部１０を固定板部７０を介してバルブボディ５０に固定する。以下、構成部材毎に詳細に説明する。
【００１７】
＜ソレノイド部１０＞
ソレノイド部１０は、図１に示すように、軸部１１と、コア１７と、ヨーク２１と、ボビン２５と、コイル２９と、ハウジング３０と、を有する。
【００１８】
（ハウジング３０）
図２は、第１実施形態に係るソレノイド部１０のハウジング３０の斜視図である。ハウジング３０は、図１及び図２に示すように、磁性金属材料製であり、軸方向他方側（リア側）に、底部３０ａを有した有底筒状である。すなわち、ハウジング３０は、筒状部分のリア側を覆う底部３０ａを有して有底筒状である。ハウジング３０は、軸方向一方側端部から軸方向一方側（フロント側）へ突出する加締め部３２を有する。本実施形態では、加締め部３２は、ハウジング３０のフロント側端部に周方向に等間隔を有して３つ設けられる。即ち、加締め部３２は、ハウジング３０のフロント側端部に隣接する他の加締め部３２との間で１２０度の角度を有して位置する。加締め部３２は、周方向に所定長さを有して円弧状である。
【００１９】
加締め部３２の周方向長さＬｓ、径方向長さＴｓ（厚さ）、軸方向長さＨｓ（高さ）の詳細については、後述する。
【００２０】
周方向に隣接する加締め部３２間におけるハウジング３０の軸方向一方側（フロント側）の周端部３０ｂは、同一平面上に延びる。このため、加締め部３２が取付孔部７５ａ、７５ｂ、７５ｃを貫通し、且つ径方向に折れ曲がっている状態になると、周端部３０ｂの端面は固定板部７０の軸方向他方側（リア側）の面７０ａに接触する。加締め部３２は、取付孔部７５ａ、７５ｂ、７５ｃ（図４ａ参照）に挿入されて加締められて、ハウジング３０を固定板部７０に固定する。取付孔部７５ａ、７５ｂ、７５ｃの詳細は後述する。
【００２１】
図３は、図５のV−V矢視に相当するソレノイド部の断面図である。ハウジング３０のフロント側であって周方向に隣接する加締め部３２間には、図２及び図３に示すように、切欠き部３５が設けられる。切欠き部３５は、径方向外側から内側方向に見たときに、四角形状である。切欠き部３５には、ボビン２５と一体成型されたターミナル２６が突出する。ターミナル２６は、ボビン２５のフロント側端部から径方向外側へ延びて切欠き部３５を貫通するターミナル延出部２６ａと、ハウジング３０の径方向外側に位置し、ターミナル延出部２６ａのリア側端部に繋がってリア側へ延びるターミナル本体部２６ｂと、を有する。ターミナル本体部２６ｂは、リア側端部が開口してフロント側へ窪むターミナル孔部２６ｂ１を有する。ターミナル孔部２６ｂ１内には、コイル２９に電気的に接続される図示しない端子が設けられる。
【００２２】
（軸部１１）
軸部１１は、図１に示すように、プランジャ１１ａとシャフト部１１ｂとを有する。プランジャ１１ａは、シャフト部１１ｂの径方向外側に位置し、コア１７に対して軸方向に移動する。シャフト部１１ｂは、プランジャ１１ａの中心軸部分に装着される。
【００２３】
本実施形態では、シャフト部１１ｂは、金属材料製であり、プランジャ１１ａ内を貫通して、プランジャ１１ａの軸方向両側から突出して延びる。プランジャ１１ａから軸方向両側へ延びるシャフト部１１ｂは、コア１７内の貫通孔１７ａに挿入されたすべり軸受け１８及びヨーク２１の小径孔部２１ｃに設けられたすべり軸受け１９を介して支持される。コ１７ア及びヨーク２１の詳細については後述する。
【００２４】
プランジャ１１ａは、シャフト部１１ｂに固定されて、コア１７に対して軸方向に移動する。本実施形態では、プランジャ１１ａは、磁性材料製であり、シャフト部１１ｂの軸方向中央部に固定される。プランジャ１１ａは、円筒状であり、軸方向に貫通する貫通孔１１ａ１を有する。貫通孔１１ａ１内にシャフト部１１ｂが嵌め合わされた状態で通される。このため、プランジャ１１ａとシャフト部１１ｂとは一体化されて、プランジャ１１ａの移動とともにシャフト１１ｂが移動する。
【００２５】
（コア１７）
コア１７は、シャフト部１１ｂの径方向外側に位置する。本実施形態では、コア１７は、磁性材料製であり、シャフト部１１ｂのフロント側に配置されてハウジング３０内に固定される。コア１７は、ハウジング３０の内面３０ｃに接触する円板状の大径部１７ｂと、大径部１７ｂのリア側の側面からリア側へ延びて大径部１７ｂよりも小径の小径部１７ｃと、を有する。大径部１７ｂと小径部１７ｃは同軸上に位置する。小径部１７ｃの径方向外側の側面１７ｃ１は、ボビン２５の内面２５ａに嵌合して固定される。小径部１７ｃのリア側の端部は、リア側に進むに従って径方向の幅が狭くなる凸部１７ｃ２を有する。凸部１７ｃ２は、コイル２９の通電時に、凸部１７ｃ２からプランジャ１１ａ側に延びる磁力線を集中させて、プランジャ１１ａをフロント側へ引っ張る力を増大する。
【００２６】
コア１７の軸方向の中心には、軸方向に貫通する貫通孔１７ａが設けられる。この貫通孔１７ａ内に配置されたすべり軸受１８を介してシャフト部１１ｂが通される。すべり軸受１８は円筒状であり、すべり軸受１８によって、シャフト部１１ｂが軸方向に移動自在に支持される。小径部１７ｃのリア側には、リア側が開口してフロント側へ窪む収容部１７ｃ３が設けられる。収容部１７ｃ３は、リア側から見たときに円形状である。収容部１７ｃ３は、プランジャ１１ａの移動に伴ってプランジャ１１ａのフロント側を挿入可能である。
【００２７】
なお、コア１７の小径部１７ｃにおけるリア側の径方向外側端部と、ヨーク２１のフロント側の径方向外側端部との間には、円筒状のカラー３７が装着される。カラー３７は、コア１７及びヨーク２１を隙間を設けて連結する。
【００２８】
（ヨーク２１）
ヨーク２１は、プランジャ１１ａの径方向外側に位置する。本実施形態では、ヨーク２１は、フロント側が開口してリア側に底部２１ａを有して中心軸Ｊを中心とした有底筒状である。ヨーク２１内には、プランジャ１１ａを収容する大径孔部２１ｂと、大径孔部２１ｂのリア側に繋がって大径孔部２１ｂよりも小径の小径孔部２１ｃとを有する。大径孔部２１ｂ及び小径孔部２１ｃは、フロント側から見たときに円形状である。大径孔部２１ｂの内径は、プランジャ１１ａの外径よりも僅かに大きい。このため、大径孔部２１ｂ内をプランジャ１１ａが軸方向に移動可能である。小径孔部２１ｃ内には円筒状のすべり軸受１９が配置される。すべり軸受け１９内にシャフト部１１ｂが通される。このため、プランジャ１１ａを中央にしてプランジャ１１ａの軸方向両側から延びるシャフト部１１ｂは、すべり軸受１８，１９で支持される。つまり、シャフト部１１ｂは両端支持の状態で軸方向に移動可能である。
【００２９】
（ボビン２５）
ボビン２５は、コア１７の径方向外側の側面１７ｃ１を覆う。本実施形態では、ボビン２５は、樹脂製であり、コア１７及びヨーク２１の径方向外側の側面１７ｃ１、２１ｄを覆う。ボビン２５は、円筒部２５ｂと、円筒部２５ｂの軸方向両側に設けられて径方向外側へ突出するフランジ部２５ｃと、を有する。円筒部２５ｂにコイル２９が巻かれる。リア側のフランジ部２５ｃはハウジング３０の底部３０ａに対向して接触し、フロント側のフランジ部２５ｃは、コア１７の大径部１７ｂのリア側の面に対向して接触する。コイル２９が巻かれたボビン２５は、ターミナル２６（図３参照）とともに樹脂によって一体成型される。
【００３０】
（コイル２９）
コイル２９は、ボビン２５に巻かれる。本実施形態では、コイル２９は、ボビン２５の円筒部２５ｂの径方向外側の外周面に沿って周方向に巻かれる。コイル２９の両端部はターミナル２６（図３参照）に設けられた端子に電気的に接続される。ボビン２５に巻かれたコイル２９は、ターミナル２６とともに樹脂により一体成型される。
【００３１】
＜固定板部７０＞
図４ａは、ソレノイド部１０を固定する固定板部７０の斜視図であり、図４ｂは取付孔部７５ａ、７５ｂ、７５ｃの拡大図である。固定板部７０は、図１及び図４ａ示すように、金属製であり、Ｙ軸方向に延びる長方形状である。固定板部７０は、軸方向に貫通する中央孔部７３と、中央孔部７３の径方向外側に位置し、加締め部３２が挿入される取付孔部７５ａ、７５ｂ、７５ｃと、取付孔部７５ａ、７５ｂ、７５ｃの径方向外側に位置し、固定部材８１を介して固定板部７０をバルブボディ５０に固定する固定部７９と、を有する。中央孔部７３の内径は、シャフト部１１ｂの外形よりも大きく、さらに、バルブボディ５０に設けられたスプール５２の外形よりも大きい。
【００３２】
取付孔部７５ａ、７５ｂ、７５ｃは、中央孔部７３の径方向外側に周方向に等間隔を有して３つ設けられる。即ち、例えば、取付孔部７５ａは、周方向に隣接する他の取付孔部７５ｂとの間で１２０度の角度を有して位置する。取付孔部７５ａ、７５ｂ、７５ｃは、図４ｂに示すように、周方向に所定長さ（周方向長さＬｈ）を有して中心軸Ｊに対して周方向に円弧状に湾曲する長孔である。尚、ソレノイド部１０の加締め部３２が不等間隔に設定されている場合は、取付孔部７５ａ、７５ｂ、７５ｃも、中央孔部７３の径方向外側に周方向に不等間隔を有して３つ設けられこととなる。その場合は、中央孔部７３の周方向で規定された位置でのみ加締め部３２を取付孔部に挿入できなくなり、中央孔部７３の周方向において誤った位置での装着を防止できる事となる。
【００３３】
これらの取付孔部７５ａ、７５ｂ、７５ｃに加締め部３２が挿入される。なお、取付孔部７５ａ、７５ｂ、７５ｃは、同一形状であるので、取付孔部７５ａと加締め部３２との関係について、以下説明する。図２及び図４ｂに示すように、取付孔部７５ａの周方向長さＬｈは、加締め部３２の周方向長さＬｓよりも長い。また、取付孔部７５ａの径方向長さＴｈは、加締め部３２の径方向長さＴｓ（厚さ）よりも長い。このため、加締め部３２を取付孔部７５ａに挿入することができる。また、加締め部３２の軸方向長さＨ（高さ）は、図１及び図３に示すように、加締め部３２を取付孔部７５ａに貫通し、且つ径方向に折れ曲がっている状態で、固定板部７０に設けられた中央孔部７３を通るシャフト部１１ｂに対して、加締め部３２の先端部に隙間８３が生じる長さを有する。なお、本実施形態では、取付孔部７５ａ、７５ｂ、７５ｃを３つ設けた場合を示したが、加締め部３２の数に対応して４つ以上であってもよい。
【００３４】
固定部７９は、図１及び図４ａに示すように、中心軸Ｊに対して周方向に配置された３つの取付孔部７５ａ、７５ｂ、７５ｃよりもＸ軸方向プラス側及びマイナス側に位置する２つの固定孔部７９ａを有する。これらの固定孔部７９ａは、ソレノイド部１０のハウジング３０よりも径方向外側に位置する。このため、固定部材８１としてボルト８１ａを使用した場合、ボルト８１ａの軸部８１ａ１を、固定孔部７９ａに貫通してバルブボディ５０に設けられた雌ねじ部５３ｂに螺合することで、固定板部７０をバルブボディ５０に固定することができる。この場合、固定孔部７９ａは、ハウジング３０の径方向外側に位置するので、ボルト８１ａを締結治具、例えばドライバで締結する際に、ハウジング３０が邪魔にならないので、ボルト８１ａの締結作業を容易に行うことができる。なお、固定部材８１は、ボルトに限るものでない。固定部材８１は、固定金具、リベット等でもよい。
【００３５】
＜バルブボディ５０＞
バルブボディ５０は、図１に示すように、内部にオイルの流路となる複数の油路が設けられる。また、バルブボディ５０内には、複数の油路に繋がるスプール孔５１が設けられる。スプール孔５１は、バルブボディ５０を軸方向に貫通する。スプール孔５１内にスプール５２が挿入される。本実施形態では、スプール孔５１には４つの油路５５が繋がる。
【００３６】
スプール５２は、円柱状であり、スプール孔５１の内径と略同等の外径を有する大径部５２ａと、大径部５２ａよりも小さい外径を有する小径部５２ｂとを有する。スプール５２の材料には、例えば、オイルと透磁率の異なるアルミニウム等の金属が用いられる。
【００３７】
スプール孔５１の軸方向一方側（フロント側）の端部には、スプール孔５１のフロント側の開口を塞ぐ閉塞部材５７が挿入される。閉塞部材５７とスプール５２のフロント側端部との間には、圧縮ばね６０が配置される。このため、スプール５２は、圧縮ばね６０によってリア側へ附勢される。
【００３８】
バルブボディ５０は、固定板部７０の固定部７９を固定する取付部５３を有する。本実施形態では、取付部５３は、バルブボディ５０のリア側のＸ軸方向プラス側及びマイナス側に位置する。取付部５３は、リア側の端部にＸ軸方向に延びる平面部５３ａを有する。平面部５３ａには、固定板部７０の固定孔部７９ａに対向する位置からフロント側へ延びて、ボルト８１ａが螺合可能な雌ねじ部５３ｂが設けられる。
【００３９】
また、バルブボディ５０は、取付部５３に固定板部７０が固定された状態で、固定板部７０側が開口して軸方向一方側へ窪み、固定板部７０に加締められた加締め部３２を収容する収容部６２を有する。本実施形態では、収容部６２は、リア側から見たときに円形状である。収容部６２の内径は、ハウジング３０の外径よりも大きい。また、収容部６２の軸方向深さは、中心軸方向へ折れ曲がる加締め部３２の軸方向長さよりも大きい。このため、折れ曲がる加締め部３２が収容部６２に当接することなく、加締め部３２を収容部６２内に収容することができる。
【００４０】
＜電磁弁の作用・効果＞
次に、電磁弁１の作用・効果について説明する。図１に示すように、電磁弁１のソレノイド部１０のコイル２９が励磁されると、プランジャ１１ａがコア１７側に吸引される。このため、プランジャ１１ａを固定するシャフト部１１ｂがプランジャ１１ａとともにフロント側に移動する。なお、シャフト部１１ｂの移動時には、圧縮ばね６０の附勢に抗して移動する。したがって、シャフト部１１ｂに当接するスプール５２がフロント側へ移動する。一方、ソレノイド部１０のコイル２９が非励磁状態になると、プランジャ１１ａは、コア１７からの吸引力が無くなる。このため、圧縮ばね６０のフロント側へ向く附勢力によって、スプール５２はフロント側へ移動する。また、スプール５２の移動に伴ってソレノイド部１０のシャフト部１１ｂ及びプランジャ１１ａもフロント側へ移動する。
【００４１】
（１）ここで、本実施形態に係る電磁弁１のハウジング３０は、加締め部３２が取付孔部７５ａ、７５ｂ、７５ｃを貫通し、且つ径方向に折れ曲がっている事により、固定板部７０に固定される。ここで、加締め部３２を固定板部７０に加締める際に、加締め部３２が固定板部７０から突出する側には、バルブボディ５０等の障害物は存在しない。このため、加締め部３２を固定板部７０に加締める加締め冶具は障害物に邪魔されることなく、加締め部３２を加締めることができる。このため、加締め作業の作業性を向上することができる。
【００４２】
（２）また、プランジャ１１ａがコア１７に対して軸方向に移動することで、プランジャ１１ａの中心軸部分に装着されたシャフト部１１ｂを軸方向に移動させることができる。
【００４３】
（３）また、加締め部３２は、軸部１１側へ倒されてハウジング３０が固定板部７０に固定されるので、加締め部３２が軸部１１に対して径方向外側へ倒される場合と比較して、固定部７９の位置をソレノイド部１０のハウジング３０に隣接した位置に配置することができる。このため、バルブボディ５０の大型化を抑制することができる。
【００４４】
（４）また、加締め部３２及び取付孔部７５ａ、７５ｂ、７５ｃの夫々は、３個以上設けられて周方向に均等に配置される。このため、加締め部３２を固定板部７０に対して加締めを行うと、軸部１１側に向かって均等に加締め力が作用する。よって、バルブボディ５０のスプール５２の中心軸に対する軸部１１のずれ（偏心）を抑制することができる。
【００４５】
（５）また、加締め部３２が取付孔部７５ａ、７５ｂ、７５ｃを貫通する事により、図１及び図３に示すように、加締め部３２間のハウジング３０の軸方向一方側の周端部３０ｂの端面が固定板部７０の軸方向他方側の側面７０ａに接触する。このため、加締め部３２を固定板部７０に加締めたときに、固定板部７０に対するハウジング３０の傾きの増大を抑制することができる。
【００４６】
（６）また、バルブボディ５０は、図１に示すように、固定板部７０の固定部７９が固定される取付部５３を有する。また、バルブボディ５０は、取付部５３に固定部７９が固定された状態で、固定板部７０に加締められた加締め部３２を収容する収容部６２を有する。このため、取付部５３に固定部７９が取り付けられた状態で、固定板部７０から突出する加締め部３２が収容部６２内に収容されるので、加締め部３２がバルブボディ５０に接触する虞はない。よって、固定部７９を取付部５３に強固に固定することができる。
【００４７】
[第１実施形態の変形例]
（孔部群７２を複数設けた変形例）
図１に示した第１実施形態に係る電磁弁１では、１つのソレノイド部１０が固定板部７０を介してバルブボディ５０に固定されている。しかしながら、この構造に限定されるものではなく、例えば、図５及び図６に示すように、固定板部７０に複数のソレノイド部１０を固定することもできる（変形例１）。
【００４８】
図５は、第１実施形態の変形例に係る電磁弁１をバルブボディ５０側から見た斜視図である。図６は、第１実施形態の変形例に係る電磁弁１をソレノイド部１０側から見た斜視図である。固定板部７０は、中心軸Ｊに対して直交する方向に延びる。また、固定板部７０は、図４ａに示すように、１つのソレノイド部１０に対して固定板部７０に設けられる中央孔部７３及び取付孔部７５ａ、７５ｂ、７５ｃからなる孔部群７２を複数有する。複数の孔部群７２は、固定板部７０の延びる方向に沿って間隔を有して固定板部７０に設けられる。固定板部７０は、複数の孔部群７２の夫々にソレノイド部１０が固定されて、複数のソレノイド部１０を有する。この複数のソレノイド部１０が固定された固定板部７０をバルブボディ５０に固定して電磁弁１が完成する（図５及び図６参照）。
【００４９】
この変形例では、複数の孔部群７２は、固定板部７０の延びる方向に沿って間隔を有して固定板部７０に設けられる。ここで、加締め部３２を固定板部７０に加締める際に、加締め部３２が固定板部７０から突出する側には、バルブボディ５０等の障害物は存在しない。このため、加締め部３２を固定板部７０に加締める加締め冶具は障害物に邪魔されることなく、加締め部３２を加締めることができる。このため、複数のソレノイド部１０を固定板部７０に取り付ける作業の作業性がよい電磁弁１を提供することができる。
【００５０】
（隣接する孔部群の取付孔部の配置に関する変形例）
孔部群７２の取付孔部７５ａ、７５ｂ、７５ｃは、図４ａに示すように、固定板部７０に設けられた中央孔部７３の径方向外側に周方向に間隔を有して複数設けられる。また、固定板部７０に隣接して設けられた一方の孔部群７２の複数の取付孔部７５ａ、７５ｂ、７５ｃのうち固定板部７０の延びる方向に対して交差する方向に配置された一対の取付孔部７５ａ、７５ｂ間の領域７８内に、他方の孔部群７２の複数の取付孔部７５ａ、７５ｂ、７５ｃのうちの一つの取付孔部７５ｃが位置してもよい。本実施形態では、８つの孔部群７２が固定板部７０に設けられる（変形例２）。
【００５１】
この変形例では、一方の孔部群７２の一対の取付孔部７５ａ、７５ｂ間の領域７８内に、他方の孔部群７２の複数の取付孔部７５ａ、７５ｂ、７５ｃのうちの一つの取付孔部７５ｂが位置する。このため、隣接するハウジング３０同志を近づけることがで、電磁弁１の大型化を抑制することができる。
【００５２】
以上、本発明の好ましい実施形態について説明したが、本発明は、これらの実施形態に限定されず、その要旨の範囲内で種々の変形および変更が可能である。これらの実施形態及びその変形は、発明の範囲及び要旨に含まれると同時に、特許請求の範囲に記載された発名とその均等の範囲に含まれる。
【符号の説明】
【００５３】
１  電磁弁
１０  ソレノイド部
１１  軸部
１１ａ  プランジャ
１１ｂ  シャフト部
１７  コア
２５  ボビン
２９  コイル
３０  ハウジング
３０ａ  底部
３０ｂ  周壁部
３２  加締め部
５０  バルブボディ
５２  スプール
５３  取付部
６２  収容部
７０  固定板部
７０ａ  面
７２  孔部群
７３  中央孔部
７５ａ、７５ｂ、７５ｃ  取付孔部
７８  領域
７９  固定部
【図１】
2019056472.tif 000003
【図２】
2019056472.tif 000004
【図３】
2019056472.tif 000005
【図４】
2019056472.tif 000006
【図５】
2019056472.tif 000007
【図６】
2019056472.tif 000008